(57)【要約】      （修正有）【課題】所定の壁厚を有する壁状改良体および液状化対策等に有効と考えられる六角形（ハニカム）格子状や平行四辺形格子状や三角形格子状の壁状改良体改良域を容易かつ安価に形成する改良体造成方法を提供する。【解決手段】所定壁厚を有する壁状改良体を造成するために、ロッドの先端部周面に硬化剤液ジェット噴流を高圧で径方向に所定角度で噴射する噴射ノズル３個以上からなる所定距離照準複合ノズルを有し、かつ所定距離照準複合ノズルから噴射された３本以上の複数の硬化剤液ジェット噴流は、ロッドから径方向に所定角度で所定距離離れた地中ターゲット域を、隣り合う硬化剤液ジェット噴流と所定の略等間隔距離をもって到達および通過することと、所定地盤でロッドを挿入もしくは引上げながら所定距離照準複合ノズルから硬化剤液ジェット噴流を噴射する。【選択図】図５
2014173275.tif 000002
【特許請求の範囲】
【請求項１】
地中に挿入したロッドの先端部のノズルより硬化材液を高圧で噴射して、所定壁厚を有する壁状改良体を造成するために、
ロッドの先端部周面に硬化剤液ジェット噴流を高圧で径方向に所定角度で噴射する噴射ノズル３個以上からなる所定距離照準複合ノズルを有し、
かつ前記所定距離照準複合ノズルから噴射された３本以上の複数の硬化剤液ジェット噴流は、ロッドから径方向に所定角度で所定距離離れた地中ターゲット域を、隣り合う硬化剤液ジェット噴流と所定の略等間隔距離をもって到達および通過することと、
所定地盤で前記ロッドを挿入もしくは引上げながら前記所定距離照準複合ノズルから硬化剤液ジェット噴流を噴射することで壁状改良体を形成することを特徴とする改良体造成方法。
【請求項２】
前記所定距離照準複合ノズルから噴射された３本以上の複数の硬化剤液ジェット噴流が、ロッドから径方向に所定角度で所定距離離れた地中ターゲット域を、略水平配置もしくは所定角度の略斜め配置もしくは略Ｖ字配置もしくは略逆Ｖ字配置で到達および通過することを特徴とする請求項１の改良体造成方法。
【請求項３】
ロッド先端部周面に複数の所定距離照準複合ノズルを有し、
所定地点で所定方向に所定本数、それぞれ前記ロッドを所定地盤および所定地点で挿入もしくは引上げながら複数の所定距離照準複合ノズルから硬化剤液ジェット噴流を噴射することで、六角形格子状もしくは平行四辺形格子状もしくは三角形格子状の壁状改良体改良域を形成することを特徴とする請求項１もしくは請求項２記載の改良体造成方法。
【発明の詳細な説明】
【技術分野】
【０００１】
本発明は、軟弱地盤の安定、地山支保、トンネル支保工、構築物の基礎、構築物の基礎補強、液状化防止、遮水用地中壁、地下水湧水防止などを目的として用いられる地盤改良工法のうち、ノズルから硬化材液を高圧で噴射して改良体を造成する改良体造成方法に関する。
【背景技術】
【０００２】
ロッド先端のノズルから硬化材液を高圧で噴射しながらロッドを所定の長さ引き抜いて地盤に改良体を造成する改良体造成工法の従来技術としては、ＪＳＧ工法やスーパージェット工法などがある。何れの工法も１箇所のノズルから硬化材液を噴射しながらロッドを一定速度で所定回数回転させる工程と、数ｃｍから１０ｃｍのステップ幅ロッドを引き上げる工程を繰り返して、所定の長さの円柱状改良体を造成している。また昨今では、ロッドを回転させずに所定角度揺動することで半円状改良体や扇形状改良体を造成する工法も用いられている。
【先行技術文献】
【特許文献】
【０００３】
【特許文献１】特開２００１−２９５２６０号公報
【特許文献２】特開平８−３０２６６３号公報
【非特許文献】
【０００４】
【非特許文献１】総合土木研究所発行「基礎工  ２００９年５月号」
【発明の概要】
【発明が解決しようとする課題】
【０００５】
以上のような従来技術では、所定深度にロッドを挿入し、ロッド先端に装着されたノズルから硬化材液を噴射しながらロッドを一定速度で所定回数回転もしくは揺動させる回転揺動工程と、数ｃｍから１０ｃｍのステップ幅ロッドを引き上げる引上工程を有し、これら二つの工程を改良長の長さ繰り返して行った後、ロッドを地上に引き抜くことで円柱状や所定角度の扇柱状の形状を有する改良体を造成するために用いられ、かつ何れの従来工法も、大口径化を目的としているため、硬化剤液のジェットを遠くへ飛ばすことを第一目的として開発されてきた。一方で、壁状の改良体については、従来工法で造成した場合、１０ｃｍ未満の壁厚でしか造成できなかったため、土木工事においてその用途も少なく、殆ど利用されていない。
【０００６】
しかしもし、ロッドの回転や揺動がなく、ロッドの引上げや挿入だけで壁厚が２０ｃｍ以上ある壁状改良体が短時間に容易に安価に造成できる工法があれば、昨今の我が国で大きな問題となっている液状化対策等に非常に有効と考えられる六角形（ハニカム）格子状や四角形格子状（平行四辺形含む）や三角形格子状の壁状改良体改良域も自在にかつ安価に形成することができる。
【課題を解決するための手段】
【０００７】
そこで本発明は、地中に挿入したロッドの先端部のノズルより硬化材液を高圧で噴射して、所定壁厚を有する壁状改良体を造成するために、ロッドの先端部周面に硬化剤液ジェット噴流を高圧で径方向に所定角度で噴射する噴射ノズル３個以上からなる所定距離照準複合ノズルを有し、かつ所定距離照準複合ノズルから噴射された３本以上の複数の硬化剤液ジェット噴流は、ロッドから径方向に所定角度で所定距離離れた地中ターゲット域を、隣り合う硬化剤液ジェット噴流と所定の略等間隔距離をもって到達および通過することと、所定地盤で前記ロッドを挿入もしくは引上げながら所定距離照準複合ノズルから硬化剤液ジェット噴流を噴射することで壁状改良体を形成することを特徴とした。
【０００８】
これによれば、ロッドを回転や揺動することなく、ロッドの挿入もしくは引上げを行いながら所定距離照準複合ノズルから硬化剤液ジェット噴流を噴射することで、ロッドから径方向に所定角度で所定距離離れた地中ターゲット域において所定の壁厚を有する壁状改良体を容易に造成することができる。
【０００９】
さらに本発明は、所定距離照準複合ノズルから噴射された３本以上の複数の硬化剤液ジェット噴流が、ロッドから径方向に所定角度で所定距離離れた地中ターゲット域を、略水平配置もしくは所定角度の略斜め配置もしくは略Ｖ字配置もしくは略逆Ｖ字配置で到達および通過することを特徴とした。
【００１０】
これによれば、造成される壁状改良体の硬化剤液混練度が一定し硬化時強度が均質に出来る上、壁状改良体の側面部及び上部及び下部の造成面が整って形状が安定する。
【００１１】
また、本発明は、ロッド先端部周面に複数の所定距離照準複合ノズルを有し、所定地点で所定方向に所定本数、それぞれロッドを所定地盤および所定地点で挿入もしくは引上げながら複数の所定距離照準複合ノズルから硬化剤液ジェット噴流を噴射することで、六角形（ハニカム）格子状もしくは平行四辺形格子状もしくは三角形格子状の壁状改良体改良域を形成することを特徴とした。
【００１２】
これによれば、液状化対策等に非常に有効と考えられる六角形（ハニカム）格子状や平行四辺形格子状や三角形格子状の所定壁厚を有する壁状改良体改良域が短時間にかつ安価に形成することができる。
【発明の効果】
【００１３】
本発明を用いると、例えばロッドから径方向に２ｍ離れた地点や、２．５m離れた地点など所定距離離れた地中ターゲット域における壁状改良体の壁厚が２０ｃｍや３０ｃｍや４０ｃｍや５０ｃｍといった所定壁厚で確実かつ容易に造成できる。
【００１４】
さらに本発明によると、同様の壁状改良体同士を隣接接続配置することで、６０ｃｍはもとより１ｍを超す壁厚の壁状改良体も容易に形成できるので、止水壁や支持壁に適用することもできる。
【００１５】
また本発明は、硬化剤液ジェット噴流の噴射圧力（現行では概ね２０ＭＰから６０ＭＰを想定）により数値は変化するが、ロッドから径方向に所定距離離れた地中ターゲット域までの距離を０．５mから５ｍ程度の範囲内において自在に設定でき、かつ地中ターゲット域における硬化剤液ジェット噴流の間隔距離と硬化剤液ジェット噴流の数を自在に設定できるので、用途に適した大きさを有する壁状改良体を容易に形成することができる。
【００１６】
さらに本発明によって造成される壁状改良体や、六角形（ハニカム）格子状や平行四辺形格子状や三角形格子状の壁状改良体改良域は、大きさや配置だけでなく、壁厚や配置間隔を自在に設定することができる上、ロッドに配置する所定距離照準複合ノズルを構成するノズルの個数や口径やその配置の設定も自在に設定することができる。本発明は止水目的や液状化対策や仮設土留壁などの地盤改良で広い用途に対応できるだけでなく環境への負荷も軽減しながら材料の減少や施工コスト低減や工期短縮という効果が期待できるだけでなく、他形状の平板改良体や扇状改良体等と組み合わせることで、より複雑な構造を持つ改良域の形成に活用でき、今後これまでにない用途への活用の可能性も有している。
【図面の簡単な説明】
【００１７】
【図１】本発明の実施例で、所定距離照準複合ノズルを１箇所に設置したロッドの正面図である。
【図２】本発明の実施例で、施工マシンでロッドを対象地盤の所定深度に挿入した状態の正面図である。
【図３】本発明の実施例で、所定距離照準複合ノズルから硬化剤液ジェット噴流を噴射した状態を示す側面図である。
【図４】本発明の実施例で、所定距離照準複合ノズルから硬化剤液ジェット噴流を噴射した状態を示す斜視図である。
【図５】本発明の実施例で、造成される壁状改良体を示す図である。
【図６】本発明の実施例で、所定距離照準複合ノズルを３箇所に設置したロッドの断面図である。
【図７】本発明の実施例で、本発明の実施例で、造成される壁状改良体を示す図である。
【図８】本発明の実施例で、本発明の実施例で、造成される壁状改良域を示す図である。
【図９】本発明の実施例で、本発明の実施例で、造成される壁状改良域を示す図である。
【図１０】本発明の実施例で、本発明の実施例で、造成される壁状改良域を示す図である。
【発明を実施するための形態】
【００１８】
本発明に用いるロッド１は、先端の側面に３個以上の噴射ノズル２からなる所定距離照準複合ノズル３を有している。噴射ノズル２を１個構成するノズル数は１個でも口径の小さいもの複数個でもよい。また所定距離照準複合ノズル３を構成する噴射ノズル２の相互配置は、Ｖ字状配置や斜め配置や水平配置ランダム配置いずれでもよいが、所定距離照準複合ノズル３より噴射される複数の硬化剤液ジェット噴流４は、ロッド１から径方向に所定距離（例えばロッドから径方向に２ｍ）離れた地中ターゲット域５を、それぞれが隣り合う硬化剤液のジェット噴流４と略等間隔距離（例えば凡そ１５ｃｍ）で地盤を通過するように、各噴射ノズル２が配置位置と方向と角度とノズル径を調整して配置されている。ロッド１の先端に方向の異なる所定距離照準複合ノズル３を複数配置して、同時に壁状改良体３１を複数造成することも可能である。
【００１９】
またロッド１の断面形状は円形または四角形または六角形等いずれでもよく、内部に硬化材液、圧縮空気、水の通路をそれぞれ必要数有しており、二重管または三重管または四重管または多孔管いずれの構造でもよい。また内部にはその他に排泥用通路や通信用通路を適宜設けることもある。ロッド１の表面には、方向確認管理用の垂直目印や、挿入または引上げ距離管理用として水平目印を凹部形成による線状や点状、塗料やシールによる線状や点状で記すこともある。所定距離照準複合ノズル３を１箇所有するロッド１の例を図１に示す。図１のロッド１は一辺が１４ｃｍの四角形で、先端部に噴射ノズル２ａ、噴射ノズル２ｂ、噴射ノズル２ｃを有しており、それぞれのノズル口径は同一で内径４ｍｍを有し、ここで噴射ノズル２ａと噴射ノズル２ｂは上下位置で１０ｃｍ、左右位置で５ｃｍ、斜め位置で１１．２ｃｍ離れて配置され、噴射ノズル２ｂと噴射ノズル２ｃも上下位置で１０ｃｍ、左右位置で５ｃｍ、斜め位置で１１．８ｃｍ離れて配置されている。また、噴射ノズル２ａ、噴射ノズル２ｂ、噴射ノズル２ｃの噴射方向は、噴射ノズル２ａが径方向に向かって時計回りと逆に（左に）２．８６°かつ下方向に２．８６°、噴射ノズル２ｂが径方向に向かって真っ直ぐに、噴射ノズル２ｃが径方向に向かって時計回りに（右に）２．８６°かつ上方向に２．８６°調整されている。これにより所定距離照準複合ノズル３の照準距離を２．０ｍとしている。ここでは噴射ノズル２ａ、噴射ノズル２ｂ、噴射ノズル２ｃの３個の噴射ノズルにより所定距離照準複合ノズル３を構成したが、４個以上の噴射ノズル２で構成してもよく、またそれぞれの噴射ノズル２の口径は同一でもよいし、個別に異なっていてもよい。    
【００２０】
本発明に用いる施工マシン１１は、ロッド１の所定位置を把持して、所定挿入速度および所定引上げ速度でロッド１を所定速度で所定距離挿入または引上げる挿入引上げ手段と、ロッド１の方向を変更できる回転手段とを有しており、これら手段をリアルタイムで管理し、プログラムに沿って実行できる管理装置を接続してもよい。施工マシン１１で図１のロッド１を対象地盤２１の所定深度に挿入した状態の例を図２に示す。尚、ロッド１の地上側最上部にはスイベルが接続され、地上のプラントから硬化材液、圧縮空気、水などが専用のホースを介してスイベルからロッド１の内部へと送られている。
【００２１】
図１のロッド１を用いて所定距離照準複合ノズル３から硬化剤液ジェット噴流４ａと硬化剤液ジェット噴流４ｂと硬化剤液ジェット噴流４ｃを噴射している状態の側面図を図３に、同様の斜視図を図４に示す。この時、硬化剤液ジェット噴流４ａと硬化剤液ジェット噴流４ｂと硬化剤液ジェット噴流４ｃはロッドから径方向に２．０ｍ離れた地中ターゲット域５において３本の硬化剤液ジェットが水平に並び、かつ隣り合う硬化剤液ジェット噴流と１５ｃｍの間隔で地中を通過している。ここでは硬化剤液の噴射圧力を４０Ｍｐとした場合の数値としているが、硬化剤液の噴射圧力は任意に設定可能で、通常２０Ｍｐから６０Ｍｐ程度を用いる。また図３では所定距離照準複合ノズル３の照準距離を２．０ｍ、隣り合う硬化剤液ジェット噴流の間隔を１５ｃｍとしたが、これらの数値も任意に設定可能で、通常は所定距離照準複合ノズル３の照準距離は１．０ｍ〜４．５ｍ、隣り合う硬化剤液ジェット噴流の間隔は８ｃｍ〜２５ｃｍ程度を用いる。また、本実施例では硬化剤液ジェット噴流４ａと硬化剤液ジェット噴流４ｂと硬化剤液ジェット噴流４ｃが地中ターゲット域５において相互隣接する硬化剤液ジェット噴流と等間隔の水平に位置しているが、所定角度の斜め配置やＶ字型配置や逆Ｖ字型配置で設定してもよい。
【００２２】
図５に図１および図３および図４のロッド１を地中の所定深度まで所定速度（例えば秒速５ｃｍ）で引上げながら所定距離照準複合ノズル３から硬化剤液ジェット噴流４を噴射し、所定長の壁状改良体３１を造成した例を示す。図５の壁状改良体３１は、ロッドから径方向に２．０ｍの地点において壁幅が４５ｃｍ程度となり、ロッドから径方向２．０ｍまでは全域改良されており、ロッドから径方向２．０ｍ以遠では一部未改良域を有し、ロッド１周辺での壁幅はおおよそ２０ｃｍである。また所定距離での壁幅は、ジェット噴流の本数×ジェット分量の所定距離での間隔＋ジェット噴流個々の所定距離での噴流幅×１／２の式でおおよそ算出でき、所定距離での必要な壁幅に応じて、硬化剤液の噴射圧力や使用するノズル径やジェット噴流の本数などを決めることもできる。ここでは、ロッド１を引上げながら壁状改良体３１を造成した例を示したが、ロッド１を挿入しながら壁状改良体３１を造成してもよい。尚、ロッド１周辺での壁厚がロッド径（１４ｃｍ）より大きくなるのは、ロッド１の挿入や引上げに際し、ロッド１と周辺地盤の間に間隙が生じ、そこに硬化剤液や排泥が入り込んで固化されるためである。
【００２３】
図６に、所定距離照準複合ノズル３を３箇所有するロッド１を示す。各々の所定距離照準複合ノズル３Ａ、所定距離照準複合ノズル３Ｂ、所定距離照準複合ノズル３Ｃはそれぞれが、図１と同様に噴射ノズル２ａ、噴射ノズル２ｂ、噴射ノズル２ｃから構成されており、広角１２０°配置でかつロッド１の異なる高さにある。ここで異なる高さに配置したのは噴射ノズル２各々の背後水平距離（ノズル噴出前の硬化剤液助走距離）を十分にとるためである。尚、図６ではロッド１の内部構造の図示は省略し、噴射ノズル２ａ〜噴射ノズル２ｃと所定距離照準複合ノズル３Ａ〜所定距離照準複合ノズル３Ｃと中心点のみを示している。  
【００２４】
図７に、図６のロッド１を用いて所定長の壁状改良体３１を造成した例を示す。所定距離照準複合ノズル３Ａ、所定距離照準複合ノズル３Ｂ、所定距離照準複合ノズル３Ｃによりそれぞれ造成された壁状改良体３１はロッドから径方向に２．０ｍの地中ターゲット域５において壁幅が４５ｃｍ程度となり、ロッド１から径方向２．０ｍまでは全域改良されており、ロッド１から径方向２．０ｍ以遠では一部未改良域を有する。
【００２５】
図８に図７と同様の壁状改良体３１をロッド１の挿入地点を平面で一辺３．４６ｍの三角形配置にとって３本接合させて造成した場合を示した。壁状改良体３１は３方向に壁を同時造成して形成されているため、壁状改良体３１を所定間隔で３本接合造成すると六角形（ハニカム）格子状改良域４１が容易に造成できる。
【００２６】
また、図８の六角形（ハニカム）格子状改良域４１の内部に図７と同様の壁状改良体３１を１本所定方向で造成した例を図９に示した。このように平行四辺形格子状改良域４２を容易に造成することができる。
【００２７】
図９のように、壁状改良体３１の最薄部の壁厚部分（本例では概ね２０ｃｍ）の箇所に、別の壁状改良体３１の最厚部分（本例では概ね４５ｃｍ）もしくは最厚部分近辺を連結させる配置をとることで、形成される平行四辺形格子状改良域４２の強度を向上させることができる。
【００２８】
さらに図１０では、図９の平行四辺形格子状改良域４２に、図７と同様の壁状改良体３１を１本所定方向でさらにもう１本造成して、三角形格子状改良域４３を造成した例を示した。本実施例では３方向に壁を同時造成する壁状改良体３１の地中ターゲット域５をロッドから径方向２．０ｍ、壁厚を最薄部で概ね２０ｃｍ、最厚部で概ね４５ｃｍと設定したが、同時造成する方向数（壁の枚数）や地中ターゲット域５のロッドからの距離や壁厚の設定は目的や現場条件に応じて設定は自在である。
【００２９】
また、図１０では図９とロッド１挿入位置が同一箇所で壁状改良体３１を造成しているが、ロッド１挿入地点の硬化もしくは崩壊が危惧される場合や短時間で効率よく三角形格子状改良域４３を造成したい場合の方法として、図９の壁状改良体３１についてはロッド１を挿入しながら造成し、造成最下部より引き続いて図１０の壁状改良体３１はロッド１を引上げながら造成してもよい。
【００３０】
本発明の実施例においては、硬化剤液を噴射する場合について説明したが、土壌改良剤や骨材や特殊繊維を混入した硬化剤液や、アスファルト液であってもよい。
【００３１】
また、地盤に対してロッドを所望する方向に挿入することにより、垂直方向の他、水平方向あるいは斜め方向などの任意の方向に格子状改良域を形成してもよい。
【００３２】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【産業上の利用可能性】
【００３３】
本発明は、地中での改良体造成方法と改良体造成装置に関連する産業で利用される。
【符号の説明】
【００３４】
１…ロッド、２…噴射ノズル、３…所定距離照準複合ノズル、４…硬化剤液ジェット噴流、５…地中ターゲット域、１１…施工マシン、２１…対象地盤、３１…壁状改良体、４１…六角形（ハニカム）格子状改良域、４２…平行四辺形格子状改良域、４３…三角形格子状改良域
【図２】
2014173275.tif 000003
【図１】
2014173275.tif 000004
【図３】
2014173275.tif 000005
【図４】
2014173275.tif 000006
【図５】
2014173275.tif 000007
【図６】
2014173275.tif 000008
【図７】
2014173275.tif 000009
【図８】
2014173275.tif 000010
【図９】
2014173275.tif 000011
【図１０】
2014173275.tif 000012